(57)【要約】 【課題】  栗石の代わりに土砂や礫等の内容物を使用し、この内容物を鉄線篭の中に独特の態様で効率よく収容することにより、必要な重量と強度とを備え、かつ、隙間の形成による鉄線篭の変形や地盤沈下といった問題やコストの問題が解消された、新規な地盤補強材を得る。【解決手段】  柔軟な袋８の中に、水より比重が大きくかつ鉄線篭２の網目より径の小さい粒状又は微粒状をした土砂及び／又は礫などの内容物９を、容量に余裕を持たせて収容することにより、大きさが上記鉄線篭２の網目より大きくかつ上記内容物９の移動によって形状を変更可能な重り部材３を形成し、この重り部材３を上記鉄線篭２の中に複数収容して地盤補強材とする。【選択図】        図１
2006161408.tif 000002
【特許請求の範囲】
【請求項１】
金属線条からなる鉄線篭と、この鉄線篭内に収容した複数の重り部材とで構成され、
上記重り部材は、柔軟な袋の中に、水より比重が大きくかつ鉄線篭の網目より径の小さい粒状又は微粒状をした土砂及び／又は礫などの内容物を容量に余裕を持たせて収容することにより、該内容物の移動によって形状変更可能なるように構成されると共に、大きさが、上記鉄線篭の網目より大きく、かつ、該鉄線篭の縦横両方向にそれぞれ複数個を連ねて収容可能な大きさである、
ことを特徴とする地盤補強材。
【請求項２】
上記鉄線篭が、菱形金網及び／又は溶接金網により形成された矩形の篭であり、また、上記袋が、通水性及び通気性を有する繊維製の袋であることを特徴とする請求項１に記載の地盤補強材。
【発明の詳細な説明】
【技術分野】
【０００１】
本発明は、護岸工事や宅地造成工事あるいは法面保護工事等の各種土木工事に使用する地盤補強材に関するものである。
【背景技術】
【０００２】
護岸工事や宅地造成工事あるいは法面保護工事等の各種土木工事においては、一般に、菱形金網や溶接金網等で形成された矩形又は円形の鉄線篭の中に複数の栗石を詰めたものが地盤補強材として使用され、地盤の強化や保護あるいは安定化のために必要な場所に設置されている。
【０００３】
ところが、このように鉄線篭の中に栗石を詰めた地盤補強材においては、栗石の充填時に隣接する栗石間に隙間が形成されるため、各栗石が不安定な状態になり易く、施工したあと時間の経過と共に栗石が動き、その部分で鉄線篭の上面が落ち窪んだり、地盤が沈下するなどの不都合を生じ易い。また、天然資源である上記栗石は減少傾向にあり、入手が困難であるため、施工コストが高いという問題もある。
【０００４】
上記栗石の代わりに土砂や礫などを使用することができれば、上述した隙間による鉄線篭の変形や地盤沈下といった問題も、コストの問題も解消することができるが、このような土砂や礫は粒径が小さく、鉄線篭の網目から流出するため、そのままの状態で鉄線篭の中に収容して使用することはできない。
【０００５】
一方、特許文献１には、網袋の中に杉材チップを満杯に収納して形成した袋体を、亜鉛アルミ合金鉄線製の篭体内に複数詰め込んだ地盤固着材が開示されている。この地盤固着材は、栗石を使用しないためコストが安いという利点があるが、上記袋体が、網袋の中に軽量の杉材チップを充填したものであるため、非常に軽量で水に浮き易く、強度的にも弱い。このため、地盤固着材としての用途が限られていて、大きな土圧や水圧等を受ける場所や、水流にさらされる場所などへの設置は事実上困難である。しかも、上記袋体は、網袋の中に杉材チップを満杯に充填したものであるため、張り詰めた状態のまま外形が固定化されており、そのうえ、個々の袋体が篭体の幅とほぼ同じ長さに形成されていて、篭体内に並列に並べて収容されるといった具合に、篭体に対する袋体の寸法の割合が大きいため、色々な寸法を有する各種篭体の中にこのような袋体を常に隙間なくぴったりと収容するのは非常に困難である
【０００６】
上記杉材チップの代わりに土砂や礫などを使用することも考えられるが、これによって地盤固着材としての重量と強度とを増大させることは可能になるものの、硬質の土砂や礫等を袋体の内部に満杯に充填すると、該袋体の形状が一層固定化されるため、複数の袋体を篭体の中に隙間なくぴったりと収容するのはさらに難しくなる。しかも、個々の袋体の重量が極端に増大し、取り扱いが困難になるおそれもある。
【特許文献１】特開２００２−６９９７２号公報
【発明の開示】
【発明が解決しようとする課題】
【０００７】
そこで本発明の目的は、栗石の代わりに土砂や礫のような粒状又は微粒状をした内容物を使用し、この内容物を鉄線篭の中に独特の態様で効率よく収容することにより、必要な重量と強度とを備え、かつ隙間の形成による鉄線篭の変形や地盤沈下といった問題もコストの問題も解消された、新規な地盤補強材を提供することにある。
【課題を解決するための手段】
【０００８】
上記目的を達成するため、本発明の地盤補強材は、金属線条からなる鉄線篭と、この鉄線篭内に収容した複数の重り部材とで構成され、上記重り部材は、柔軟な袋の中に、水より比重が大きくかつ鉄線篭の網目より径の小さい粒状又は微粒状をした土砂及び／又は礫などの内容物を容量に余裕を持たせて収容することにより、該内容物の移動によって形状変更可能なるように構成されると共に、大きさが、上記鉄線篭の網目より大きく、かつ、該鉄線篭の縦横両方向にそれぞれ複数個を連ねて収容可能な大きさであることを特徴としている。
【０００９】
本発明においては、上記鉄線篭が、菱形金網及び／又は溶接金網により形成された矩形の篭であり、また、上記袋が、通水性及び通気性を有する繊維製の袋である。
【発明の効果】
【００１０】
本発明によれば、鉄線篭の中に詰め込む重り部材として、柔軟な袋の中に土砂及び／又は礫などの内容物を容量に余裕を持たせて収容した重り部材を使用しているため、この重り部材を、内容物を移動させることで適宜形状調整しながら鉄線篭の中に順次積み重ねて収容することにより、該鉄線篭の中に隙間なく密に収容することができ、これにより、必要な重量と強度とを備え、かつ、隙間の形成による鉄線篭の変形や地盤沈下の問題もコストの問題も解消された、新規で有用な地盤補強材を得ることができる。
【００１１】
また、通常は鉄線篭内への収容物として使用できない土砂及び／又は礫を、袋に入れることによって有効に使用することができるため、土砂しか入手できない現場であっても、その土砂を使用することによって確実に対応することができる。しかも、袋の大きさや収容量等を変えることによってどのような大きさ及び重量の重り部材でも自由に得ることができるため、様々な寸法の鉄線篭に対して色々な大きさ及び重量を持つ重り部材を効率良く確実に収容することができる。
【００１２】
更に、上述した重り部材は、通常は個々に積み上げて設置することにより、個々の大きさ及び重量を利用して土留機能を発揮させるものであるため、大きな土圧や水圧等が作用した場合にばらばらに移動して土留機能を消失するケースが多いが、本発明においては、複数の重り部材をまとめて鉄線篭内に収容し、一つの大きな地盤補強材として機能させるようにしているため、重り部材の個々の大きさ及び重量は小さくても、複数の重り部材と鉄線篭との協同作用によって格段に大きな土留機能を発揮させることができる。
【発明を実施するための最良の形態】
【００１３】
図１は本発明に係る地盤補強材１の代表的な一つの実施形態を示すもので、この地盤補強材１は、鉄線篭２の中に複数の重り部材３を積み重ねて収容することにより構成されている。
【００１４】
上記鉄線篭２は、図２に示すような菱形金網か、図３に示すような溶接金網、あるいは図示を省略した亀甲金網等によって、縦寸法より横寸法が大きい矩形の箱形に形成したもので、底面網２ａと、前後一対の側面網２ｂ，２ｂと、左右一対の側面網２ｃ，２ｃと、必要に応じて取り付けられる上面網２ｄとからなっている。
【００１５】
なお、上記菱形金網は、扁平螺旋形に折曲した複数の金属線条５を折曲部５ａにおいて順次連繋することにより形成されるもので、菱形の網目５ｂを有しており、また、上記溶接金網は、縦横に配した金属線条６ａ，６ｂの交叉部を電気溶接して格子状に形成されるもので、矩形の網目６ｃを有しており、更に、亀甲金網は、金属線条を亀甲形すなわち六角形の網目が現れるように編成して形成されるものである。上記鉄線篭２は、これらの金網の何れか一種類だけを使用して形成するのが一般的であるが、複数種類の金網を併用して形成することもできる。例えば、底面網２ａと上面網２ｄとを溶接金網で形成し、前後及び左右の側面網２ｂ，２ｃを菱形金網で形成したり、前面側の側面網２ｂを溶接金網で形成し、それ以外の面網を菱形金網で形成することができる。もちろんこれ以外の組合せであっても構わない。
【００１６】
上記重り部材３は、図４（ａ）から分かるように、天然繊維製又は合成繊維製の糸を織成又は編成して形成した布製の柔軟な袋８の中に、土砂及び／又は礫などの、水より比重が大きくかつ鉄線篭２の網目より径の小さい粒状又は微粒状をした硬質の内容物９を収容し、袋８の開口部を紐や金具等の封止具１０により封止したもので、一般に「土嚢」と称するものと同様の構成を有するものである。
【００１７】
上記袋８は、通気性及び通水性を有するが、内容物９が流出しない程度に細かい網目を有する布製の袋である。しかし、その素材は布以外のものであっても良い。また、上記内容物９として比較的粒径の大きい礫を収容する場合には、粒径の小さい土砂を収容する場合よりは若干目の粗い網袋状のものを使用することもできる。
【００１８】
一方、上記内容物９は、袋８内に満杯に充填することなく、容量に余裕を持たせて収容されている。換言すれば、袋８内で該内容物９が移動できるように、該袋８の容量に比べて若干少な目の量の内容物９が収容されている。これにより、図４（ａ）〜（ｅ）に幾つかの形状を例示したように、上記内容物９の移動によって重り部材３が、台板状や球体状になったり、部分的に窪んだり、一部が突出したり、全部又は一部が折れ曲がったりするなど、設置場所の空間形状に応じて形を自由に変えられるようになっている。
【００１９】
また、上記重り部材３の大きさは、如何なる形状への変更時にも上記鉄線篭２の網目よりも大きく、かつ、該鉄線篭２の縦横両方向にそれぞれ複数個（好ましくは２〜４個）の重り部材を連ねた状態で収容可能な大きさであることが望ましい。この場合、隣接する重り部材３，３同士が部分的に重なり合った状態で連なっていても良い。このような重り部材３の好ましい具体例としては、１０００〜１００００ｃｍ3 程度の容量を有する袋８の中に、その容量の５０〜９０％程度の内容物９（土砂又は礫）を収容して形成したものを挙げることができる。しかし、鉄線篭の規模や設置場所等によっては、袋の容量と内容物の収容量との関係はこれ以外のものであっても良い。
【００２０】
上記重り部材３は、鉄線篭２の中に必要数収容することによって上記地盤補強材１を構成する。その際、各重り部材３の形状を、内容物９を移動させることによって収容すべき空間形状に合わせて適宜調整することにより、これらの重り部材３を鉄線篭２の中に隙間なく密に収容することができる。この場合、必ずしも重り部材３の形を無理に変えてやる必要はなく、該重り部材３を目的の場所に置くことで、その場所の形状に応じて該重り部材３が自動的に変形し、その場所にフィットして安定するケースもある。また、隣接する重り部材間の隙間に小形の重り部材を配置するなど、大きさの異なる重り部材を併用することにより、各重り部材３を鉄線篭２の中より密に収容することが可能になる。
【００２１】
かくして得られた地盤補強材１は、図５に示すように、道路や川岸などの法面に段積して設置したり、造成地に埋設するなど、栗石を詰めた一般の石詰篭と同様の用途に同様の態様で使用される。この場合、上記重り部材３として、袋８内に土砂及び／又は礫などの水より比重が大きい内容物９を収容したものを使用しているため、上記地盤補強材１は、土圧や水圧等に耐え得る十分な重量と強度とを備えており、また、栗石を使用する場合よりはコストも安い。さらに、上記重り部材３が鉄線篭２内に隙間なく収容されるため、隙間の形成による鉄線篭２の変形や地盤沈下といった問題が発生せず、地盤の強化や保護あるいは安定化のために勝れた効果を発揮する。
【００２２】
しかも、通常は鉄線篭２内への収容物として使用できない土砂及び／又は礫等を、袋８に入れることによって有効に使用することができるため、土砂しか入手できない現場であっても、その土砂を使用することによって地盤補強材１を確実に設置することができる。また、袋８の大きさや収容量等を変えることによってどのような大きさの重り部材３でも自由に得ることができるため、様々な寸法の鉄線篭２に対して色々な大きさの重り部材３を効率良く確実に収容することができる。
【００２３】
更に、上述した重り部材３は、通常は土嚢として個々に積み上げて設置されるものであるため、大きな土圧や水圧等が作用した場合にばらばらに移動して土留機能を消失するケースが多いが、上述したように、複数の重り部材３をまとめて鉄線篭２内に収容し、一つの大きな地盤補強材として機能させることにより、重り部材３の個々の大きさ及び重量は比較的小さくても、複数の重り部材３と鉄線篭２との協同作用によって格段に大きな土留機能を発揮させることができる。
【００２４】
なお、図示した実施例では、鉄線篭２の縦横の寸法が異なる例が示されているが、縦横同じ寸法であっても良く、また、円筒形の鉄線篭であっても良い。
【図面の簡単な説明】
【００２５】
【図１】本発明に係る地盤補強材の一実施例を示す斜視図である。
【図２】菱形金網の部分正面図である。
【図３】溶接金網の部分正面図である。
【図４】（ａ）は重り部材の一つの形状例を示す部分断面図、（ｂ），（ｃ），（ｄ），（ｅ）はそれぞれ異なる形状例を示す側面図である。
【図５】本発明に係る地盤補強材の施工例を示す側断面である。
【符号の説明】
【００２６】
１      地盤補強材
２      鉄線篭
３      重り部材
８      袋
９      内容物                                  
【図１】
2006161408.tif 000003
【図２】
2006161408.tif 000004
【図３】
2006161408.tif 000005
【図４】
2006161408.tif 000006
【図５】
2006161408.tif 000007